(57)【要約】【目的】主として、インキに種々のフィラーが混入されたボールペン、筆跡が消しゴムでの擦過により容易に消去できるインキが充填されたボールペン、誤記等を白色のインキで修正可能とするボールペン等の塗布具の改良に関する。【構成】本発明の塗布具は、先端にボールペンのチップと後方にインキ収容管を備え、インキ収容管にはインキとそのインキの後端にインキの消耗に伴って追随するフォロアが設けられてなり、先端ボールの背面に当接して前端部所要箇所に適宜深さの溝部を有した受け部材が設けられ、該受け部材の後端にゴム材あるいは樹脂等の弾性体よりなる弁部材が設けられて、その弁部材の弾発力で前記受け部材の前端部が先端ボールの背面を押圧し、先端ボールがチップ前端のボール抱持部の内面に密接されると共に、塗布に際し、先端ボールの押圧による受け部材の後退によって、前記弁部材の弁部が開口されてインキが疎通可能となる。【選択図】　　　　　　　　図１
2004130757.tif 000002
【特許請求の範囲】
【請求項１】
先端にボールペンのチップと後方にインキ収容管を備え、インキ収容管にはインキとそのインキの後端にインキの消耗に伴って追随するフォロアが設けられてなる塗布具に於いて、
当該塗布具は、チップの先端ボールの背面に当接して前端部所要箇所に適宜深さに溝部が設けられた受け部材が設けられ、該受け部材の後端にゴム材あるいは樹脂等の弾性体よりなる弁部材が設けられて、その弁部材の弾発力で前記受け部材の前端部が先端ボールの背面を押圧し、先端ボールがチップ前端のボール抱持部の内面に密接されると共に、塗布に際し、先端ボールの押圧による受け部材の後退によって、前記弁部材の弁部が開口されてインキが疎通可能となるように構成されたことを特徴とする塗布具。
【請求項２】
弁部材の軸心部に適宜スリットが形成された隔壁状の弁部が設けられ、一方、受け部材の後方に突出した軸部が設けられて、受け部材の後退によって軸部の後端でスリットが拡開されて弁部が開口可能となる請求項１に記載の塗布具。
【発明の詳細な説明】
【０００１】
【産業上の利用分野】
本発明は、主として剪断減粘性を有するインキを使用したボールペン、特にインキに種々のフィラーが混入されたボールペン、紙面に筆記した筆跡が消しゴムでの擦過により容易に消去できるインキが充填されたボールペン、誤記等を白色のインキで隠蔽することで修正可能とするボールペン等の塗布具に関する。
【０００２】
【従来の技術】
【特許文献１】特開平８−５２４０７
【特許文献２】実開昭６２−１５４８８２
【特許文献３】特表平７−５０６８６２
【特許文献４】実開昭６３−９８７７６
【特許文献５】特開２００１−３２８３８８
【特許文献６】特願２００１−０４７６２７
従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）また、剪断減粘性を有するインキを使用して、攪拌しないですむものも知られているが、上向きで塗布したときにインキが逆流してインキ切れしやすい問題が存在する。（特許文献３）また、後端に加圧機構を設けて、ポンピング作用によってインキの流出を支援すると共に、インキの逆流が防止可能となるものが知られているが、加圧機構部が複雑でコスト高となる欠点と、インキの粘度が比較的低い場合に塗布の際に加圧によって異常にインキが吐出してしまう問題がある。（特許文献４，５）
また、本願と同様な発明として特許文献６があるが、構造がやや複雑となり、コスト高となる欠点がある。
【０００３】
【発明が解決しようとする課題】
本発明は、主として剪断減粘性を有するインキを使用したボールペン、特にインキに種々のフィラーが混入されたボールペン、紙面に筆記した筆跡が消しゴムでの擦過により容易に消去できるインキが充填されたボールペン、更に、攪拌する必要が無く、容器の側面を押圧する煩わしさの無い誤記等を白色のインキで隠蔽することで修正可能とするボールペンなど、容易な手段でインキの直流や逆流を防止して安価に提供可能とする。
【０００４】
【課題を解決するための手段】
本発明は、上記課題を達成する為に以下の構成を有する。
請求項１に記載の発明に係る塗布具は、先端にボールペンのチップと後方にインキ収容管を備え、インキ収容管にはインキとそのインキの後端にインキの消耗に伴って追随するフォロアが設けられてなる塗布具に於いて、当該塗布具は、チップの先端ボールの背面に当接して前端部所要箇所に適宜深さに溝部が設けられた受け部材が設けられ、該受け部材の後端にゴム材あるいは樹脂等の弾性体よりなる弁部材が設けられて、その弁部材の弾発力で前記受け部材の前端部が先端ボールの背面を押圧し、先端ボールがチップ前端のボール抱持部の内面に密接されると共に、塗布に際し、先端ボールの押圧による受け部材の後退によって、前記弁部材の弁部が開口されてインキが疎通可能となる。
【０００５】
請求項２に記載の発明に係る塗布具は、請求項１に記載の塗布具に於いて、弁部材の軸心部に適宜スリットが形成された隔壁状の弁部が設けられ、一方、受け部材の後方に突出した軸部が設けられて、受け部材の後退によって軸部の後端でスリットが拡開されて弁部が開口可能となる。
【０００６】
【実施例】
図１及び図２は本発明の一実施例を示している
先ず、図１に示すように塗布具１のインキ収容管４内には白色顔料インキ７が充填され、そのインキの後端にインキの消耗と共にインキと追随するグリース状やゲル状のフォロア８が充填されている。また、フォロア８はインキと相溶性が無く且つインキの蒸発を防止する性能を有している。また、必要に応じてフォロア内にフォロアと略同等の比重を有する樹脂製のフォロア棒９が浸漬される。
また、フォロアは例えばシリコンゴム等の追従体とすることも可能である。
【０００７】
また、白色顔料インキ７は、少なくとも酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【０００８】
塗布具１は、インキ収容管４の前方に軸部４ａが一体に形成され、軸部４ａがチップ２の内孔部に固着される。その際、軸部４ａの前方にはゴム材あるいは樹脂等の弾性体よりなる弁部材６が設けられ、その前方に、受け部材５が設けられている。
【０００９】
受け部材５の前端には、所要箇所で適宜深さに溝部５ｂが設けられ、後端に段部５ｃと軸心に軸部５ｄが突出して設けられている。また、軸部５ｄの外周には溝部５ｂと連通して溝部５ｅが設けられている。
一方、弁部材６は、略筒状で、ゴム材あるいは樹脂等の弾性体で形成され、その内孔の軸心部に例えば一文字あるいは十文字状の適宜スリット６ｂが形成された隔壁状の弁部６ａが設けられている。
【００１０】
弁部材６の筒状の後端部は軸部４ａの前端に固定され、その外周部はチップ２の内孔部内壁に密接状に設けられている。また、筒状の前端部は受け部材５の段部５ｃに当接し、軸方向に弾性変位可能となされると共に、その弾発力で前記受け部材５の前端部が先端ボール３の背面を押圧し、先端ボール３がチップ２前端のボール抱持部２ａの内面に密接される。また塗布に際し、先端ボール３の押圧による受け部材５の後退によって、受け部材５の後方に突出した軸部５ｄの後端でスリット６ｂが拡開されて弁部６ａが開口され、インキ収容部からのインキの疎通が可能となる。そのとき、先端ボール３の外面とチップ２のボール抱持部２ａの内面との間に大きな顔料粒子やインキに介在されるフィラーが挿通する十分な隙間が形成される。
【００１１】
チップ２が下向きの状態では、ボール抱持部２ａの内縁に先端ボール３が液密状に密接する。また、塗布作業に伴う先端ボール３の回転でインキの粘度が低下して流出する。
【００１２】
ところで、先端ボール３がボール抱持部２ａの内面に密接することはインキが高粘度であっても筆記先端の乾燥、インキの直流防止に対し極めて重要である。従って、特に金属チップの場合には先端ボール３を抱持するチップ内面の表面粗さ、カシメによる密接精度を改善する為に内面の研削仕上げ、カシメ精度を上げる為の二次的な塑性加工が配慮される。また、必要によっては先端ボールとの密接面に表面処理などが配慮される。
【００１３】
また、弾性体は、必要な弾力性が維持できるようにインキや温度変化、経時変化に対する耐食性や耐久性が配慮される。
【００１４】
【作用】
次に、実施例の作用を以下に説明する。
先端ボール３に塗布の為の押圧がかからない状態では、弁部材６の弾発力によって先端ボール３がチップ２のボール抱持部２ａの内縁に液密状に密接されるのでインキの直流が防止される。
また、チップ２が上向きのときには、弁部６ａが閉じているので例え先端ボール３とボール抱持部２ａの内面との密接状態が悪くともインキにヘッドが掛かり逆流することがない。従って、チップ２を下向きにした時にインキが即流出可能となる。なお、本発明の構成は、剪断減粘性を有さない低粘度インキや通常粘度のインキであっても同様な作用がある。
【００１５】
またフォロア棒９は、インキ収容管が大径である場合に使用される。即ち、グリース状やゲル状のフォロア８は、インキ収容管が大径の場合に衝撃などの影響で変形を受け破壊されやすいという問題がある。フォロア内にフォロアと略同等の比重を有する樹脂製のフォロア棒を浸漬させることにより剛性を上げることが可能となる。フォロア棒は、インキ収容管が大径で逆流しやすい場合や、上向き塗布を繰り返した時や衝撃がかかった時に性能を発揮するものであって、構成要素として必ずしも必須のものではない。
【００１６】
【発明の効果】
本発明は以上の通りであり、主として、インキに種々のフィラーが混入されたボールペン、紙面に筆記した筆跡が消しゴムでの擦過により容易に消去できるインキが充填されたボールペン塗布具などが容易な手段でインキの直流や逆流を防止して提供可能となる。また、白色顔料とゲル化剤を含み、顔料の沈降が防止されると共に、流動性が損なわれないように配合されたインキを使用して白色顔料と溶剤とが分離するような問題がなく、従ってインキを攪拌する必要がない使い勝手の良い誤記修正用のボールペン式塗布具が簡単な構造で安価に提供可能となる。
【図面の簡単な説明】
【図１】実施例１であるボールペン式塗布具の縦断面図で、チップを下向きにした塗布前の状態を示している。
【図２】実施例１であるボールペン式塗布具の縦断面図で、塗布により先端ボールが後退して弁部が開口した状態を示している。
【符号の説明】
１　　　　塗布具
２　　　　チップ
２ａ　　ボール抱持部
３　　　　先端ボール
４　　　インキ収容管
４ａ　　軸部
５　　　受け部材
５ａ　　ボール座部
５ｂ　　溝部
５ｃ　　段部
５ｄ　　軸部
５ｅ　　溝部
６　　　弁部材
６ａ　　弁部
６ｂ　　スリット
７　　　インキ
８　　　　フォロア
９　　　フォロア棒
【図１】
2004130757.tif 000003
【図２】
2004130757.tif 000004